(57)【要約】      （修正有）【課題】フェイスシールド等を着用した者が、ウィルスの有無を色又は表示により認識できるフィルムシートを提供する。【解決手段】フェイスシールドに装着するフィルムシートであって、透明なフィルム３、不織布４及び含浸紙５等で構成されている。シートの外側には、フェイスシールド等に粘着する粘着材２を有し、シートの内側に、新型コロナウィルスがある場合、色又は表示により認識できる不織布４がある。また、シートの上部に、時間の経過等により新型コロナウィルスを識別する効力の期限切れを色又は表示によって可視化される含浸紙５がある。このシートをフェイスシールド等に貼り付けることにより、新型コロナウィルスの感染の可能性を容易に確認することが可能となる。【選択図】図２
0003231720.tif 000002
【実用新案登録請求の範囲】
【請求項１】
フェイスシールド又はマウスシールド（以下「フェイスシールド等」という。）を着用して日常生活や作業をする者が、新型コロナウィルス感染の可能性について認識できるようにするために、新型コロナウィルスの抗体識別シート部分により新型コロナウィルスの有無が色又は表示によって可視化される機能を備えた、フェイスシールド等に装着するフィルムシート。
【請求項２】
請求項１のフィルムシートの一部分である新型コロナウィルスの抗体識別シートが時間の経過等により新型コロナウィルスを識別する効力がなくなったことを色又は表示によって可視化される機能を備えた、請求項１に記載のフィルムシート。
【請求項３】
フェイスシールド等の裏面に、請求項２のフィルムシートを装着又は着脱することが可能な粘着機能を備えるとともに、フェイスシールド等の曲面に応じて接着部分の面積を段階的に調節できるようにするために、接着面に貼りついている外側の離型フィルムを段階的に剥がすことができるよう複数の切り込みが入っている、請求項２に記載のフィルムシート。
【考案の詳細な説明】
【技術分野】
【０００１】  本考案は、唾液に含まれる新型コロナウィルスを色又は表示によって可視化することができる、フェイスシールド等に装着するフィルムシートに関することである。
【背景技術】
【０００２】  新型コロナウィルスの感染の有無を確認するためには、ＰＣＲ又は抗原検査を受ける必要があるが、これらの検査結果は、検査時における新型コロナウィルスの感染の有無を確認するものであり、検査後の行動範囲、他人との接触頻度及び経過した時間等に比例して、その検査結果は次第に意味をなさないものとなっている。
【考案の概要】
【考案が解決しようとする課題】
【０００３】  現在流通しているフェイスシールド等では、フェイスシールド等を着用した者が新型コロナウィルスに感染しているかどうかは識別できない。
また、そのフェイスシールド等を着用した者が以前ＰＣＲ検査等を受けて陰性者だったとしても、それは検査時点における過去の結果であり、現時点において新型コロナウィルスに感染しているかどうかは定かではない。
本考案は、その課題を解決しようとするものである。
【課題を解決するための手段】
【０００４】  本考案は、現在流通しているフェイスシールド等に新型コロナウィルス識別フィルムシートを貼り付けることにより、新型コロナウィルスの感染の有無を色又は表示により可視化して、その課題を解決する。
【考案の効果】
【０００５】  新型コロナウィルス識別フィルムシートを貼り付けたフェイスシールド等を着用したもの同士が、その時点でお互いに新型コロナウィルスに感染していないことがわかっていれば、たとえ、密閉空間、密集場所及び密接場面であっても、ある程度の間隔を確保する必要がなくなり、それをもって経済社会活動を安全・安心に行うことができる。
また、従来のＰＣＲ検査等とは異なり、検査スペースの不要及び検査時間の省略など、物理的制約及び時間的制約がなくなると言ったメリットがある。
【図面の簡単な説明】
【０００６】
【図１】  本考案のフェイスシールド用新型コロナウィルス識別フィルムシートの正面図（内側から見た図）である。
【図２】  本フィルムシートの断面図（横から見た図）である。
【図３】  本フィルムシートの裏面図（外側から見た図）である。
【符号の説明】
【０００７】１  フェイスシールド等に装着する時に剥がす外側の離型フィルム
２  粘着材
３  透明なフィルム
４  新型コロナウィルスの有無を可視化する不織布
５  新型コロナウィルスを識別する効力の期限切れを色又は表示によって可視化される含浸紙
６  フェイスシールド等に装着する時に剥がす内側の離型フィルム
【図１】
0003231720.tif 000003
【図２】
0003231720.tif 000004
【図３】
0003231720.tif 000005
【手続補正書】
【提出日】令和2年11月2日(2020.11.2)
【手続補正１】
【補正対象書類名】実用新案登録請求の範囲
【補正対象項目名】全文
【補正方法】変更
【補正の内容】
【実用新案登録請求の範囲】
【請求項１】
フェイスシールド又はマウスシールド（以下「フェイスシールド等」という。）を着用して日常生活や作業をする者が、新型コロナウイルス感染の可能性について認識できるようにするために、会話によって飛沫した唾液が不織布に付着し、さらに、その唾液に新型コロナウイルスが含まれている場合には、斜線色が現れる不織布が付いている、フェイスシールド等に装着するフィルムシート。
【請求項２】
請求項１のフィルムシートの一部分である不織布が時間の経過により新型コロナウイルスを識別する効力がなくなったことを色又は表示によって可視化できるようにするために、不織布に含まれている検知液体を含浸紙にも含ませておき、その液体が蒸発したときに、予め印字した文字が浮き上がる含浸紙が付いている、請求項１に記載のフィルムシート。
【請求項３】
フェイスシールド等の裏面に、請求項２のフィルムシートを装着又は着脱することが可能な粘着機能を備えるとともに、フェイスシールド等の曲面に応じて接着部分の面積を段階的に調節できるようにするために、接着面に貼りついている外側の離型フィルムを段階的に剥がすことができるよう複数の切り込みが入っている、請求項２に記載のフィルムシート。
【手続補正書】
【提出日】令和3年1月8日(2021.1.8)
【手続補正１】
【補正対象書類名】実用新案登録請求の範囲
【補正対象項目名】全文
【補正方法】変更
【補正の内容】
【実用新案登録請求の範囲】
【請求項１】
フェイスシールド又はマウスシールド（以下「フェイスシールド等」という。）を装着したまま新型コロナウイルス感染の可能性について認識できるようにするために、フェイスシールド等の内側下部に取り付けた、透明フィルムを土台とするフィルムシートに付いている不織布に、会話によって飛散した唾液が付着し、その唾液に新型コロナウイルスが含まれている場合には、不織布に編み込まれた、検知液体を含有した含侵紙により斜線色が現れることを特徴とする、不織布、含浸紙及び透明フィルムで構成されたフィルムシート。
【請求項２】
請求項１のフィルムシートの一部分である含浸紙を編み込んだ不織布が時間の経過により新型コロナウイルスを識別する効力がなくなったことを色又は表示によって可視化できるようにするために、不織布に編み込まれた含浸紙に含まれている検知液体を不織布に編み込まれた含浸紙とは別の含浸紙にも含ませておき、その液体が蒸発したときに、予め印字した文字が浮き上がる含浸紙が付いている、請求項１に記載のフィルムシート。
【請求項３】
フェイスシールド等の裏面に、請求項２のフィルムシートを装着又は着脱することが可能な粘着機能を備えるとともに、フェイスシールド等の曲面に応じて接着部分の面積を段階的に調節できるようにするために、接着面に貼りついている外側の離型フィルムを段階的に剥がすことができるよう複数の切り込みが入っている、請求項２に記載のフィルムシート。